(57)【特許請求の範囲】
【請求項１】
規定の線速度及び規定の線速度に対して異なる倍数の線速度一定の状態にて回転駆動されるディスクへの記録動作及び角速度一定の状態にて回転駆動されるディスクへの記録動作を行うことが出来るとともにディスクの内周側に設けられている試し書き領域にテスト信号を記録再生することによって各記録速度による記録動作を行うためのレーザー出力を設定するように構成された光ディスク記録再生装置において、
試し書き領域の回転線速度を外周側の回転線速度に上昇させることが出来ない記録速度による記録動作を行うとき、
予め設定されている試し書き領域の最大回転線速度一定及び該回転線速度より一段遅い回転線速度一定の状態にてレーザー出力の設定動作を行い、
各速度におけるレーザー出力の設定動作によって設定されるレーザー出力の変化度と回転線速度の変化度との関係及び生産工程にて設定されているレーザー出力の変化度と回転線速度の変化度との関係から両者の間の変化特性の差を検出し、
その変化特性の差に基づいて前記最大回転線速度を越える線速度に適したレーザー出力を演算することによって設定するようにした
ことを特徴とする光ディスク記録再生装置。
【発明の詳細な説明】
【０００１】
【発明の属する技術分野】
本発明は、光学式ピックアップより照射されるレーザーによってディスクに信号を記録するとともにレーザーによってディスクに記録されている信号の再生動作を行うように構成された光ディスク記録再生装置に関する。
【０００２】
【従来の技術】
光学式ピックアップを用いてディスクに記録されている信号の読み出し動作を行うディスクプレーヤーが普及しているが、最近では、再生機能に加えて光学式ピックアップより照射されるレーザーによってディスクに信号を記録することが出来るように構成された光ディスク記録再生装置が商品化されている。
【０００３】
また、最近では、規定の線速度だけでなく規定の記録線速度に対して、４倍、８倍、１２倍及び１６倍等の高速の線速度一定の状態にてディスクを回転制御した状態で信号を記録することが出来るように構成された光ディスク記録再生装置が開発されている。斯かる複数の線速度による記録動作を行うことが出来る光ディスク記録再生装置では、一般的にその装置が備えた最も速い線速度にて記録動作は行われる。
【０００４】
線速度一定の状態にて記録動作を行う状態では、ディスクの内周側に信号を記録する場合の回転速度が最も速くなるため、線速度一定による記録速度を更に高速にすることは非常に困難な状況になっている。斯かる点を考慮して、最近では、ディスクを角速度一定の状態にて回転させて信号の記録動作を行うようにした光ディスク記録再生装置が開発されている。即ち、斯かる光ディスク記録再生装置では、内周における記録速度は、規定の線速度に対して８倍程度であっても外周側では、２０倍を越える線速度となり信号の記録速度を高速にすることが出来るという利点がある。
【０００５】
【発明が解決しようとする課題】
光ディスク記録再生装置では、ホストであるコンピューター装置側からの記録命令に従って信号の記録動作を行うように構成されているが、斯かる記録動作はディスクに記録する信号を一旦バッファ用ＲＡＭに記憶させ、該バッファ用ＲＡＭに記憶されている信号を読み出すことによってディスクへ信号の記録動作を行うように構成されている。
【０００６】
また、斯かる光ディスク記録再生装置では、ディスクの内周側に設けられている試し書き領域にレーザー出力を変化させながらテスト信号を記録するとともにその記録された信号の再生動作を行うという動作を行うことによって記録動作を行うために適したレーザー出力を設定する動作を行うように構成されている。
【０００７】
斯かるレーザー出力の設定動作を角速度一定の状態にて記録することが出来るように構成された光ディスク記録再生装置では、ディスクの内周側に設けられている試し書き領域の回転速度を外周側の記録線速度に上昇させることが出来ないので、最適なレーザー出力の設定動作を行うことが出来ないことになる。
【０００８】
本発明は、斯かる問題を解決することが出来る光ディスク記録再生装置を提供しようとするものである。
【０００９】
【課題を解決するための手段】
本発明は、規定の線速度及び規定の線速度に対して異なる倍数の線速度一定の状態にて回転駆動されるディスクへの記録動作及び角速度一定の状態にて回転駆動されるディスクへの記録動作を行うことが出来るとともにディスクの内周側に設けられている試し書き領域にテスト信号を記録再生することによって各記録速度による記録動作を行うためのレーザー出力を設定するように構成された光ディスク記録再生装置において、試し書き領域の回転線速度を外周側の回転線速度に上昇させることが出来ない記録速度による記録動作を行うとき、予め設定されている試し書き領域の最大回転線速度一定及び該回転線速度より一段遅い回転線速度一定の状態にてレーザー出力の設定動作を行い、各速度におけるレーザー出力の設定動作によって設定されるレーザー出力の変化度と回転線速度の変化度との関係及び生産工程にて設定されているレーザー出力の変化度と回転線速度の変化度との関係から両者の関係を比較し、その比較結果に基づいて前記最大回転線速度を越える線速度に適したレーザー出力を演算することによって設定するように構成されている。
【００１０】
【実施例】
図１は本発明に係る光ディスク記録再生装置の一実施例を示すブロック回路図である。同図において、１はスピンドルモーターＭによって回転駆動されるターンテーブル(図示せず)に載置されるディスクであり、該ターンテーブルの回転により回転駆動されるように構成されている。また、前記ディスク１には、位置情報データがプリグルーブと呼ばれる蛇行した溝によって記録されており、この溝より得られるウォブル信号に基いて信号の記録再生動作が行われるように構成されている。２はディスク１に光ビームを照射させるレーザーダイオード及び該レーザーダイオードより照射される光量をモニターするモニター用ダイオードが組み込まれているとともにディスク１の信号面より反射される光ビームを受ける光検出器が組み込まれている光学式ピックアップであり、ピックアップ送り用モーター(図示せず)によってディスク１の径方向に移動せしめられるように構成されている。
【００１１】
３は前記光学式ピックアップ２に組み込まれている光検出器から得られるＲＦ信号を増幅するとともに波形成形するＲＦ信号増幅回路、４は前記ＲＦ信号増幅回路３を介して得られる信号に基づいて前記光学式ピックアップ２の光ビームをディスク１の信号面に合焦させるフォーカシング制御動作及び該光ビームを前記信号面の信号トラックに追従させるトラッキング制御動作を行うピックアップ制御回路であり、フォーカスサーボ回路及びトラッキングサーボ回路が組み込まれている。
【００１２】
５は前記ＲＦ信号増幅回路３より出力される信号のデジタル信号処理を行うとともに各種信号の復調動作を行うデジタル信号処理回路、６は前記デジタル信号処理回路５にて信号処理されたデジタル信号が入力される信号再生用回路であり、ディスク１に記録されている情報がオーディオ信号である場合には、アナログ信号に変換した後増幅器等に出力し、コンピューターソフトのようなデータ信号の場合にはデジタル信号のままホストとして設けられているコンピューター装置７に出力する作用を成すものである。
【００１３】
８は前記デジタル信号処理回路５により復調された信号が入力されるとともに前記コンピューター装置７から出力される命令信号に応じて種々な制御動作を行うシステム制御回路であり、後述するレーザー出力の設定動作及び演算処理動作を行うように構成されている。９はテスト信号や情報信号等の記録信号が入力されるとともにその信号に対応させてレーザー駆動回路(図示せず)からレーザーダイオードへ供給される駆動信号を制御する信号記録用回路であり、レーザーダイオードの照射動作を制御することによってデータ信号等を前記光ディスク１に記録させるように構成されている。
【００１４】
１０はディスク１に記録される信号が一旦記憶されるバッファ用ＲＡＭであり、前記コンピューター装置７より出力される信号が書き込まれるとともにシステム制御回路８の制御動作によって信号の記憶動作及び読み出し動作が制御されるように構成されている。そして、前記バッファ用ＲＡＭ１０へ記憶された信号は、ディスク１に記録するべく読み出された後も記憶保持された状態にあり、その後コンピューター装置７より出力される新しい信号がその位置に記憶されることによって順次上書き消去されるように構成されている。
【００１５】
１１は前記システム制御回路８によって動作が制御されるスピンドルモーター駆動回路であり、ディスク１を回転駆動させるスピンドルモーターＭを回転駆動制御する作用を有している。そして、斯かる回転駆動制御動作は、規定の線速度は勿論のこと規定速度の４倍、８倍、１２倍及び１６倍等の線速度一定の状態にて回転させることが出来るように、また、内周側の線速度が、例えば８倍程度になる角速度一定の状態になるように回転させることが出来るように構成されている。
【００１６】
１２は前記システム制御回路８によって動作が制御されるメモリー回路であり、光ディスク記録再生装置の生産工程において、レーザー出力の調整設定動作によって決定されたレーザー出力の調整値等がレーザー出力に対応して記憶されている。光学式ピックアップ２に組み込まれているレーザーダイオードに供給される駆動電流の値と該レーザーダイオードより照射されるレーザー出力との関係は、必ずしもリニアな関係にはなく、レーザーダイオードの特性のバラツキによって相違することになる。斯かる変化の特性を生産工程にて測定し、その測定に基づく関係が前記メモリー回路１２に記憶される。
【００１７】
斯かる構成において、ディスク１への信号の記録動作時、バッファ用ＲＡＭ１０にはコンピューター装置７から出力される信号が記憶され、その記憶されている信号の読み出し動作を制御することによってディスク１への信号の記録動作を制御するように構成されている。そして、ディスク１への信号の記録動作が中断された後、再度記録動作を再開させる場合には、前記バッファ用ＲＡＭ１０に記憶されている信号とディスク１に中断前に記録されている信号との比較動作を行い、中断前に記録されていた信号に連続して信号が記録されるように、即ちシームレスと呼ばれる方式にて信号が記録されるように構成されている。
【００１８】
以上の如く、本発明に係る光ディスク記録再生装置は構成されているが、次に斯様に構成された回路における再生動作について説明する。コンピューター装置７よりドライブ装置を構成するシステム制御回路８に対して再生動作を行うための命令信号が出力されると、該システム制御回路８による再生動作のための制御動作が開始される。斯かる再生動作が行われる場合には、光学式ピックアップ２に組み込まれているレーザーダイオードには、信号の読み出し動作を行うためのレーザー出力が得られる駆動電流がレーザー駆動回路より供給されるように設定されている。
【００１９】
斯かる再生動作のための制御動作が開始されると、スピンドルモーター駆動回路１１によるスピンドルモーターＭの回転制御動作が行われるが、斯かるスピンドルモーターＭの回転制御動作は、ウォブル信号をデコードして得られる同期信号と基準信号生成回路（図示せず）より出力される基準信号とを比較することによりディスク１を線速度一定にて回転駆動するように行われる。斯かる制御動作は、後述する信号の記録動作時にも同様に行われる。
【００２０】
スピンドルモーターＭの回転制御動作は、以上の如く行われるが、信号の読み出し動作を行う光学式ピックアップ２では、フォーカシング制御動作及びトラッキング制御動作が開始されて該光学式ピックアップ２によるディスク１からの信号の読み出し動作が開始されるが、再生動作に先だってディスク１の最初のセッションを構成するリードイン領域に記録されているＴＯＣデータの読み出し動作が行われる。
【００２１】
ディスク１に作成されている最初のセッションの信号記録領域に記録されている信号の読み出し再生動作は、リードイン領域に記録されているＴＯＣデータと呼ばれる記録情報データに基づいて行われることになる。前記光学式ピックアップ２によって読み出された信号は、ＲＦ信号増幅回路３を通して増幅及び波形成形された後デジタル信号処理回路５に入力されて信号の復調動作が行われる。前記デジタル信号処理回路５により信号処理が行われて情報データが抽出されると、該情報データは誤り訂正等の信号処理が行われた後、信号再生用回路６に印加される。
【００２２】
そして、前記信号再生用回路６は、ディスク１から読み出された情報データがオーディオ信号である場合には、アナログ信号に変換した後増幅器等に出力し、コンピューターソフトのようなデータ信号の場合にはデジタル信号のままコンピューター装置７に出力することになる。
【００２３】
以上に説明したように本実施例における再生動作は行われるが、次にディスク１への信号の記録動作について説明する。
【００２４】
ディスク１に信号を記録する動作は、まずディスク１に設けられている試し書き領域にテスト信号を記録及び再生することにより記録動作に最適なレーザー出力の設定動作が行われるが、斯かるレーザー出力の設定については、後述する。斯かるレーザー出力の設定動作が行われると、ディスク１のバッファと呼ばれる領域に記録されている情報データ、即ち信号記録領域に記録されている信号の位置情報等を読み出す動作が行われる。
【００２５】
斯かる処理動作が終了すると、光学式ピックアップ２をディスク１上の記録動作を開始する位置まで移動させるとともにバッファ用ＲＡＭ１０への記録信号の書き込み動作が行われる。前記バッファ用ＲＡＭ１０への信号の書き込み動作が行われると、該バッファ用ＲＡＭ１０に記憶される信号の記憶量が次第に上昇することになる。その記憶量が所定量を越えると、前記バッファ用ＲＡＭ１０に記憶されている信号を読み出し、その読み出された信号を前記信号記録用回路９に入力せしめる。その結果、前記信号記録用回路９によるレーザー駆動回路の制御動作が行われ、ディスク１に信号が記録されることになる。
【００２６】
斯かる動作によってディスク１への信号の記録動作は行われるが、前記バッファ用ＲＡＭ１０への信号の書き込み動作は、該バッファ用ＲＡＭ１０からの信号の読み出し動作に応じて行われるように構成されている。また、記録動作が正常に行われている状態では、ディスク１への信号の記録動作が行われる毎にその位置を示すアドレス、即ち最終アドレスをシステム制御回路８内に組み込まれているメモリー回路に記憶する動作が行われている。
【００２７】
そして、ディスク１への信号の記録動作を中断させた場合には、前記バッファ用ＲＡＭ１０からの信号の読み出し動作が中断されるが、この場合には該バッファ用ＲＡＭ１０への信号の書き込み動作も中断させるように構成されている。斯かる状態よりディスク１への信号の記録動作を開始させる操作を行うと、光学式ピックアップ２を記録動作を開始させる位置、即ち記録動作を中断した位置より後退させた位置に変位させた後、その位置より再生動作を行う。記録を中断させた位置は、正常記録動作が行われる毎にメモリー回路に記憶されている最終アドレスより容易に認知することが出来るとともに光学式ピックアップ２を所望の位置に移動させることが出来る。
【００２８】
斯かる再生動作によって再生される信号は、記録動作を中断させる直前に記録されていた信号であり、斯かる信号と前記バッファ用ＲＡＭ１０に記憶されている信号との比較動作を行う。斯かる比較動作によって、両者が同一信号であると判定された場合には、前記バッファ用ＲＡＭ１０に記憶されているとともに前述した比較動作の対象となった信号に続けて記憶されている信号の読み出し動作が行われるとともにその信号が信号記録用回路９に入力されてディスク１への信号の記録動作が開始される。前述した動作によって信号のディスク１への記録中断動作及び記録再開動作を行うことが出来、斯かる動作を行うことによってディスク１には、記録動作を中断させたにも拘わらず信号を連続して記録する動作、所謂シームレス記録動作を行うことが出来る。
【００２９】
以上に説明したように本実施例における記録動作は行われるが、信号の記録動作が終了するとディスクに記録された信号の記録位置等を示す記録情報データのディスク１のリードインエリアへの記録動作が行われる。そして、斯かるリードインエリアへの記録情報データの記録動作は、ディスク１へ信号を記録した速度にて行われる。
【００３０】
以上に説明したように本実施例における信号の記録動作は行われるが、次にレーザー出力の設定について説明する。コンピューター装置７より出力される記録命令信号に基づいてレーザー出力の設定動作は行われるが、斯かるレーザー出力の設定動作はテスト信号をディスク１の内周側に設けられている試し書き領域にレーザー出力を変化させながら行い、その記録された信号を再生し、最適な信号として再生された信号に対応したレーザー出力を最適なレーザー出力として設定するようにされている。そして、斯かるレーザー出力の設定方法については、周知の技術を使用すれば良く、その詳細については省略する。
【００３１】
試し書き領域における回転線速度をディスク１に記録する場合の線速度にすることが出来る場合、即ちディスク１の最外周位置における記録線速度と同じ回転線速度にて試し書き領域へのテスト信号の記録動作を行うことが出来る場合には、その線速度の状態にてレーザー出力の設定動作を行うことによってディスク１の全ての領域における記録動作を支障なく行うことが出来る。このようにディスク１の最外周位置における記録線速度と同一の線速度にて試し書き領域におけるテスト信号の記録動作を行うことが出来る場合におけるレーザー出力の設定動作は行われるが、次に試し書き領域における回転線速度をディスク１の外周側の信号記録領域における回転線速度にすることが出来ない場合のレーザー出力の設定動作について説明する。
【００３２】
斯かるレーザー出力の設定動作は、光ディスク記録再生装置が備えている最も高速の線速度、即ち試し書き領域における線速度として最も高速の線速度にすることが出来る状態にてレーザー出力の設定動作を最初に行う。例えば、試し書き領域における回転線速度を規定の線速度の１６倍になるように制御した状態にてレーザー出力の設定動作を行い、その線速度にて記録動作を行う場合に最も適したレーザー出力Ｐ１を設定する。斯かる１６倍の線速度による記録動作を行うために適したレーザー出力Ｐ１の設定動作が終了すると、１６倍の線速度より一段遅い線速度、例えば試し書き領域における回転線速度を規定の線速度の１２倍になるように制御した状態にてレーザー出力の設定動作を行い、その線速度にて記録動作を行う場合に最も適したレーザー出力Ｐ２を設定する。
【００３３】
前述したように１６倍及び１２倍の線速度による記録動作を行う場合に適したレーザー出力Ｐ１及びＰ２が設定されると、これらの値から使用されるディスクの記録速度の変化とその速度変化に伴うレーザー出力の変換との関係をシステム制御回路８による演算処理動作によって求めることが出来る。即ち、レーザー出力値と記録速度との関係は、例えば比例関係にあるため、記録速度の変化度とレーザー出力値の変化度から記録速度とレーザー出力との関係を求めることが出来る。従って、記録動作を行う回転線速度が規定の速度の２０倍のように試し書き領域における線速度を２０倍にすることが出来ない場合であっても２０倍の記録線速度に適したレーザー出力を演算処理動作によって設定することが出来る。
【００３４】
本発明は、斯かる方法によるレーザー出力の設定だけでなく、生産工程にて設定されているレーザー出力の変化に基づく関係と前述した動作によって得られた関係とに基づいてレーザー出力の設定動作を行う。即ち、生産工程にて設定されているレーザー出力の変化特性と記録動作を行う場合に設定されるレーザー出力の変化特性とは合致することはなく、これらの変化特性間の差を検出し、この検出された差に基づいてレーザー出力を設定することによってより正確なレーザー出力を設定することが出来る。生産工程にて設定されているレーザー出力の変化特性は、メモリー回路１２に記憶されているが、前述したレーザー出力設定動作によって検出された１６倍及び１２倍に対応したレーザー出力Ｐ１及びＰ２の比Ｐ１／Ｐ２をＫとし、生産工程にて設定されているレーザー出力の変化特性に基づいて設定されている１６倍及び１２倍に対応したレーザー出力比をＫ０とすると、Ｋ＝Ｋ０とならない場合がある。斯かる場合には、例えばＫとＫ０の中間値Ｋ１の比にてレーザー出力が変化すると設定し、規定速度の２０倍の線速度に適したレーザー出力を演算処理して設定する動作が行われる。
【００３７】
【発明の効果】
本発明は、規定の線速度及び規定の線速度に対して異なる倍数の線速度一定の状態にて回転駆動されるディスクへの記録動作及び角速度一定の状態にて回転駆動されるディスクへの記録動作を行うことが出来るとともにディスクの内周側に設けられている試し書き領域にテスト信号を記録再生することによって各記録速度による記録動作を行うためのレーザー出力を設定するように構成された光ディスク記録再生装置において、試し書き領域の回転線速度を外周側の回転線速度に上昇させることが出来ない記録速度による記録動作を行うとき、予め設定されている試し書き領域の最大回転線速度一定及び該回転線速度より一段遅い回転線速度一定の状態にてレーザー出力の設定動作を行い、各速度におけるレーザー出力の設定動作によって設定されるレーザー出力の変化度と回転線速度の変化度との関係及び生産工程にて設定されているレーザー出力の変化度と回転線速度の変化度との関係から両者の関係を比較し、その比較結果に基づいて前記最大回転線速度を越える線速度に適したレーザー出力を演算することによって設定するようにしたので、試し書き領域にてレーザー出力の設定動作を行うことが出来ない高速の記録動作に適したレーザー出力を設定することが出来る。
【００３８】
また、本発明は、試し書き領域におけるレーザー出力の設定動作を行う線速度を予め設定されている試し書き領域の最大回転線速度と該回転線速度より一段遅い回転線速度に設定したので、即ち試し書き領域において最も速い回転線速度にてレーザー出力の設定動作を行うとともに一段遅い回転線速度にてレーザー出力の設定動作を行うように構成されている。従って、本発明によれば、信号記録領域への記録動作を行う回転線速度、即ち試し書き領域の回転線速度を外周側の回転線速度に上昇させることが出来ない記録速度である回転線速度に最も近い回転線速度にてレーザー出力の設定動作を行うことになり、正確なレーザー出力の設定動作を行うことが出来るという利点を有するものである。
【図面の簡単な説明】
【図１】本発明に係る光ディスク記録再生装置の一実施例を示すブロック回路図である。
【符号の説明】
１        ディスク
２        光学式ピックアップ
４        ピックアップ制御回路
５        デジタル信号処理回路
７        コンピューター装置
８        システム制御回路
１０        バッファ用ＲＡＭ
１１        スピンドルモーター駆動回路
１２        メモリー回路
【図１】
0003768111.tif 000002